(57)【要約】      （修正有）【課題】防水性を有する口金付ランプ、ソケット装置およびこれらを用いた照明器具を提供する。【解決手段】ランプ本体１１は、一端部側に開口部１１ａを形成した筒状をなす。発光部は、ランプ本体１１の一端部側の開口部１１ａに面して設置される。カバー部材１３は、発光部を覆うようにランプ本体１１の一端部側に配設される。カバー部パッキング１４は、ランプ本体１１とカバー部材１３との間に配設される。口金部材１５は、一端部側がランプ本体１１の他端部側に配設されるとともに、発光部に電源を供給するための口金１５ｄを他端部側に有する。口金部パッキング１６は、ランプ本体１１と口金部材１５との間に配設される。パッキング受部１８は、前記口金部材１５がソケット装置２０に装着された際に、ソケット装置２０との間で口金１５ｄを密封する器具部パッキング３１を受ける。【選択図】図１
2012142215.tif 000002
【特許請求の範囲】
【請求項１】
一端部側に開口部を形成した筒状をなすランプ本体と；
ランプ本体の一端部側の開口部に面して設置される発光部と；
発光部を覆うようにランプ本体の一端部側に配設されるカバー部材と；
ランプ本体とカバー部材との間に配設されるカバー部パッキングと；
一端部側がランプ本体の他端部側に配設されるとともに、発光部に電源を供給するための口金を他端部側に有する口金部材と；
ランプ本体と口金部材との間に配設される口金部パッキングと；
前記口金部材がソケット装置に装着された際に、ソケット装置との間で口金を密封する器具部パッキングを受けるためのパッキング受部と；
を具備していることを特徴とする口金付ランプ。
【請求項２】
一端部側に開口部を形成した筒状をなすランプ本体と；
ランプ本体の一端部側の開口部に面して設置される発光部と；
発光部を覆うようにランプ本体の一端部側に配設されるカバー部材と；
ランプ本体とカバー部材との間に配設されるカバー部パッキングと；
一端部側がランプ本体の他端部側に配設されるとともに、発光部に電源を供給するための口金を他端部側に有する口金部材と；
前記口金部材がソケット装置に装着された際に、ソケット装置との間で口金を密封する器具部パッキングを受けるためのパッキング受部と；
を具備していることを特徴とする口金付ランプ。
【請求項３】
一端部側に開口部を形成した筒状をなすソケット本体と；
請求項１または２に記載の口金付ランプの口金が電気的に接続される接続部材を有し、接続部材が一端部側の開口部に面してソケット本体に設置されるソケット部材と；
を具備していることを特徴とするソケット装置。
【請求項４】
請求項１または２に記載の口金付ランプと；
請求項３に記載のソケット装置と；
前記口金付ランプのパッキング受部と前記ソケット装置との間に配設される器具部パッキングと；
を具備していることを特徴とする照明器具。
【発明の詳細な説明】
【技術分野】
【０００１】
本発明の実施形態は、防水形の口金付ランプ、ソケット装置およびこれら口金付ランプとソケット装置を用いた照明器具に関する。
【背景技術】
【０００２】
従来、ショーケース用照明や棚下灯など、狭い空間に適したフラットな薄形構造のコンパクト形蛍光ランプが用いられている。近年、この蛍光ランプに代わって、寿命が長く、また消費電力の少ない固体発光素子である発光ダイオード（以下「ＬＥＤ」と称す）を発光源として採用したフラットな薄形構造の口金付ＬＥＤランプが開発され販売されている。
【先行技術文献】
【特許文献】
【０００３】
【特許文献１】特開２０１０−１２９４８８号公報
【発明の概要】
【発明が解決しようとする課題】
【０００４】
この種の口金付ランプは、一般的にＧＸ５３形の口金を有し、この口金を接続することが可能なソケット装置に対して着脱が可能になるように装着され、照明器具が構成されている。一方、これらランプのさらなる普及促進のため、浴室や屋外の門灯などへ設置することが可能な、防水性を有する口金付ランプが要望されている。
【０００５】
本発明は、上記要望に鑑みてなされたもので、防水性を有する口金付ランプ、ソケット装置およびこれら口金付ランプおよびソケット装置を用いた照明器具を提供しようとするものである。
【課題を解決するための手段】
【０００６】
実施形態における口金付ランプは、ランプ本体、発光部、カバー部材、カバー部パッキング、口金部材、口金部パッキングおよびパッキング受部を具備し、ランプ本体は、一端部側に開口部を形成した筒状をなす。発光部は、ランプ本体の一端部側の開口部に面して設置される。カバー部材は、発光部を覆うようにランプ本体の一端部側に配設される。カバー部パッキングは、ランプ本体とカバー部材との間に配設される。口金部材は、一端部側がランプ本体の他端部側に配設されるとともに、発光部に電源を供給するための口金を他端部側に有する。口金部パッキングは、ランプ本体と口金部材との間に配設される。パッキング受部は、前記口金部材がソケット装置に装着された際に、ソケット装置との間で口金を密封する器具部パッキングを受ける。
【０００７】
また、実施形態におけるソケット装置は、ソケット本体、ソケット部材を具備し、ソケット本体は、一端部側に開口部を形成した筒状をなす。ソケット部材は、請求項１または２に記載の口金付ランプの口金が電気的に接続される接続部材を有し、接続部材が一端部側の開口部に面してソケット本体に設置される。
【発明の効果】
【０００８】
本発明によれば、防水性を有する口金付ランプ、ソケット装置およびこれら口金付ランプおよびソケット装置を用いた照明器具を提供することが可能になる。
【図面の簡単な説明】
【０００９】
【図１】本発明の実施形態である口金付ランプ、ソケット装置および照明器具を分解して示す斜視図。
【図２】同じく口金付ランプ、ソケット装置および照明器具を示す縦断面図。
【図３】同じく口金付ランプを示す図で、（ａ）は側面図、（ｂ）は底面図、（ｃ）は上方から見た斜視図、（ｄ）は下方から見た斜視図。
【図４】同じくソケット装置を示す図で、（ａ）は上面図、（ｂ）は接続部材を示す斜視図、（ｃ）は底面図、（ｄ）は上方から見た斜視図、（ｅ）は下方から見た斜視図。
【図５】同じく口金付ランプ、ソケット装置および照明器具を示す図で、（ａ）は口金付ランプとソケット装置を分離して示す斜視図、（ｂ）は口金付ランプをソケット装置に装着する状態を示す斜視図。
【図６】同じく口金付ランプ、ソケット装置および照明器具の第１の変形例を示し、（ａ）は縦断面図、（ｂ）は（ａ）図のＡ部分を拡大して示す断面図。
【図７】同じく口金付ランプ、ソケット装置および照明器具の第２の変形例を示す斜視図。
【発明を実施するための形態】
【００１０】
以下、本発明に係る口金付ランプ、ソケット装置およびこれら口金付ランプおよびソケット装置を用いた照明器具の実施形態について説明する。
【００１１】
先ず、口金付ランプの構成につき説明する。本実施形態は、ＧＸ５３形式の口金が設けられたフラットな薄型構造の口金付ランプ１０を構成するもので、図１に示すように、一端部側に開口部１１ａを形成した筒状をなすランプ本体１１と、ランプ本体１１の一端部側の開口部１１ａに面して設置される発光部１２と、発光部１２を覆うようにランプ本体１１の一端部側に配設されるカバー部材１３と、ランプ本体１１とカバー部材１３との間に配設されるカバー部パッキング１４と、発光部１２に電源を供給するための口金１５ｄを他端部側に有する口金部材１５と、ランプ本体１１と口金部材１５との間に配設される口金部パッキング１６と、発光部１２を点灯制御するための点灯装置１７と、前記口金部材１５がソケット装置２０に装着された際に、ソケット装置２０との間で口金１５ｄを密封する器具部パッキング３１を受けるためのパッキング受部１８で構成する。
【００１２】
ランプ本体１１は、図２、図３に示すように、放熱性を高めるために熱伝導性の良好な金属、本実施形態では、表面が白色に塗装されたアルミニウムで構成され、一端部側に開口部１１ａを他端部側に開口部１１ｂを有し、一端部側と他端部側の略中間部を有底になした横断面が略円形の筒状をなすように形成される。有底の底面部における開口部１１ａに面する側に基板支持部１１ｃが一体に形成され、周囲にリング状をなす凸条部１１ｄが一体に形成される。
【００１３】
基板支持部１１ｃは、後述する発光部１２が熱的に密着して装着されるように、その底面が平坦な面になるように形成される。凸条部１１ｄの外周面には、後述するカバー部材１３をねじ込むためのねじ部１１ｄ１と、カバー部パッキング１４を保持するための溝部１１ｄ２が一体に形成されている。溝部１１ｄ２は、凸条部１１ｄの外周面を１周するように形成され、溝の内表面が平坦な面となるように形成される。
【００１４】
また、ランプ本体１１の他端部側の開口部１１ｂには、その開口端部内面に、後述する口金部パッキング１６を密着させるための密着部１１ｅを形成する。密着部１１ｅは、ランプ本体１１の内周面を１周するように一体に形成され、その表面が平坦な面となるように形成される。これら構成のランプ本体１１は、例えば、鋳造、鍛造または切削加工等で加工され、ランプ本体１１の外径寸法は、後述するソケット本体２１の外径寸法と略同一に形成される。
【００１５】
発光部１２は、固体発光素子１２ａを実装した発光モジュール１２ｂで構成される。固体発光素子１２ａは、本実施形態では複数個のＬＥＤチップからなり、各ＬＥＤチップは、同一性能を有するＬＥＤチップ、本実施形態では高輝度、高出力の多数の青色ＬＥＤチップで構成し、このＬＥＤチップが基板にＣＯＢによって実装され、さらに黄色蛍光体が設けられることにより白色の光を放射する発光モジュール１２ｂが構成される。
【００１６】
この発光モジュール１２ｂは、ランプ本体１１の基板支持部１１ｃに電気絶縁を図り、かつ密着されるように設置され、また、必要に応じてシリコーン樹脂等で構成された電気絶縁シート等（図示せず）を介して、平坦な面をなす基板支持部１１ｃの底面にネジ等の固定手段を用い密着して固定される。これにより、発光部１２が、ランプ本体１１の一端部側の開口部１１ａに面して設置され、発光モジュール１２ｂの裏面が基板支持部１１ｃに確実に密着され、ＬＥＤ１２ａから発生する熱を効果的にアルミニウムからなるランプ本体１１に伝達して放熱させることができる。上記構成により、発光部１２の光軸が、ランプ本体１１の中心軸に略合致し、全体として上面視で略正方形の発光面を有する光源部が構成される。
【００１７】
次に、カバー部材１３は、ランプのグローブを構成するもので、透光性を有する透明または光拡散性を有する半透明の部材、本実施形態では乳白色で半透明のポリカーボネート樹脂で構成され、他端部側に開口部１３ａを設けた扁平な有底の円筒に形成されている。開口部１３ａを囲む縁部は円筒状の側壁部１３ｂとなるとともに、この開口部に対向する正面（一端部側）は、平坦な略円形の平面状をなすように形成されている。また、開口部１３ａの内面には、ランプ本体１１のねじ部１１ｄ１に螺合するねじ部１３ａ１が一体に形成されている。
【００１８】
上記に構成したカバー部材１３は、ランプ本体１１に設置された発光部１２を覆うように対向して設けられ、開口部１３ａのねじ部１３ａ１を、ランプ本体１１の凸条部１１ｄのねじ部１１ｄ１にねじ込むことによって、着脱が可能になるように固定される。これらねじ込みは、一条のねじによってなされる。この際、ランプ本体１１の一端部側とカバー部材１３との間にカバー部パッキング１４が配設される。
【００１９】
カバー部パッキング１４は、本実施形態ではシリコーンゴムや天然ゴム等からなるＯリングで構成され、Ｏリング１４が、予めランプ本体１１の凸条部１１ｄに形成された溝部１１ｄ２に嵌め込まれた状態で、カバー部材１３がランプ本体１１の凸条部１１ｄにねじ込まれる。これにより、Ｏリング１４が、カバー部材１３の内周面と溝部１１ｄ２との間で圧縮され、カバー部材１３とランプ本体１１とが気密状態に固定され、発光部１２がランプ本体１１内に気密に、すなわち、防水性を有して収容される。なお、カバー部材１３は、ランプ本体１１に対して別個のネジを用いたり凹凸嵌合手段等を用いたりして取り付けるようにしてもよいし、着脱ができないようにシリコーン樹脂やエポキシ樹脂等の接着剤を用いて固定するようにしてもよく、取付手段は限定されない。
【００２０】
次に口金部材１５は、耐熱性・耐候性を有し、電気絶縁性の良好な合成樹脂、本実施形態では、白色のＰＢＴ樹脂によって、一端部側に開口部１５ａを、他端部側には、外底面に環状の支持段部１５ｂが形成されるように凹嵌部１５ｃが一体に突出されて形成される（図３）。そして環状の支持段部１５ｂに、発光部１２に電源を供給するための一対の口金１５ｄを設ける。また、一端部側の開口部１５ａの外周面には、後述する口金部パッキング１６を保持するための溝部１５ａ１が一体に形成されている。溝部１５ａ１は、開口部１５ａの外周面を１周するように形成され、溝の内表面が平坦な面となるように形成される。図３中、１５ｅは口金付ランプ１０とソケット装置２０を係合させるための係合手段を構成する鉤状の係合溝である。
【００２１】
口金１５ｄは、本実施形態ではＧＸ５３形の口金で構成され、銅や黄銅等の導電性を有する金属からなり、鍔状に突出する円板状のプラグ部１５ｄ１を有するピン形の一対の口金ピンで構成され、合成樹脂で環状に形成された支持段部１５ｂに対し、プラグ部１５ｄ１が外方に突出するように樹脂成形により一体に埋め込まれ支持される。図中１５ｆは、口金部材１５の一端部側の開口部１５ａを塞ぐための蓋部材で、口金部材１５と同様に、白色のＰＢＴ樹脂によって円形をなすように樹脂成形によって構成される。
【００２２】
次に、点灯装置１７は、発光部１２を点灯制御するための装置で、交流電圧１００Ｖを直流電圧２４Ｖに変換してＬＥＤ１２ａに定電流の直流電流を供給するための点灯回路を有し、点灯回路を構成する回路部品１７ａと、円形の平板状のガラスエポキシ製の回路基板１７ｂで構成され、回路基板の表面側に回路パターンが形成され、その実装面に複数の小形の電子部品からなる回路部品１７ａが実装されている。
【００２３】
上記に構成された点灯装置１７は、回路基板１７ｂが回路部品１７ａを上方に位置させた状態で凹嵌部１５ｃ内に支持されることにより口金部材１５内に収容される。そして、点灯装置１７が口金部材１５内に収容された後に、蓋部材１５ｆによって口金部材１５の開口部１５ａが塞がれる。蓋部材１５ｆは、口金部材１５の底面に一体に形成されたボス部にネジによって固定される。
【００２４】
また、点灯装置１７の出力端子と発光部１２の発光モジュール１２ｂは、蓋部材１５ｆに形成された電線挿通孔（図示せず）を介して挿通されるリード線によって接続される。また、点灯装置１７の入力端子は、一対の口金１５ｄとリード線によって接続される。上記に構成された口金部材１５は、口金部材１５とランプ本体１１との間に口金部パッキング１６を介在した状態で、一端部側がランプ本体１１の他端部側に配設される。
【００２５】
口金部パッキング１６は、本実施形態ではシリコーンゴムや天然ゴム等からなるＯリングで構成され、Ｏリング１６が、予め口金部材１５の外周面に形成された溝部１５ａ１に嵌め込まれる。そして、Ｏリング１６が嵌め込まれた状態で、Ｏリング１６の弾性力に抗しながら口金部材１５の一端部側をランプ本体１１の他端部側の開口部１１ｂに押し込んで嵌め込む。そして、ランプ本体１１における基板支持部１１ｃの一端部側の開口部１１ａ側から、蓋部材１５ｆを介するネジ（図示省略）を、口金部材１５のボス部等に形成されたネジ孔（図示省略）にねじ込んで両者を固着する。
【００２６】
これにより、Ｏリング１６が、ランプ本体１１の内周面に形成された平坦な面からなる密着部１１ｅと溝部１５ａ１との間で圧縮され、口金部材１５とランプ本体１１とが気密状態に固定され、口金部材１５内に収容された点灯装置１７等の電装品が、口金部材１５内に気密に防水性を有して収容される。なお、口金部材１５は、ランプ本体１１に対してシリコーン樹脂やエポキシ樹脂等の接着剤を用いて固定するようにしてもよい。
【００２７】
次に、パッキング受部１８は、上記に構成された口金部材１５が後述するソケット装置２０に装着された際に、ソケット装置との間で口金１５ｄを密封する器具部パッキング３１を受けるための部材で、本実施形態においては、口金部材１５の他端部側、すなわち、支持段部１５ｂの外面に器具部パッキング３１を保持すためのパッキング受部１８を一体に形成して構成した。パッキング受部１８は、器具部パッキング３１が嵌め込まれ圧縮されて密閉を保つことができるように、支持段部１５ｂの最外周部となる外縁部の角部が溝状になるように一体に樹脂成形によって形成する。この溝状をなすパッキング受部１８は、口金部材１５の外周面を１周する溝となるように一体に形成され、その溝の内表面が平坦な面となるように形成される。
【００２８】
上記によりランプ本体１１の一端部側に、乳白色のカバー部材１３とＬＥＤからなる発光部１２が設けられ、他端部側にＧＸ５３形の口金１５ｄが設けられたフラットな薄形構造の口金付ランプ１０が構成される。上記に構成された口金付ランプ１０の外径寸法は、口金付ランプ１０が装着されるソケット装置２０の外径寸法と略同一に構成されている。
【００２９】
次に、ソケット装置の構成につき説明する。本実施形態のソケット装置は、上記に構成されたフラットな薄型構造の口金付ランプを装着することによって、口金付ランプとともにソケット装置自体で照明器具を構成する。そして、上記に構成されたＧＸ５３形式の口金が設けられた口金付ランプ１０を装着することが可能なソケット装置２０であり、図２、図４に示すように、一端部側に開口部２１ａを形成した筒状をなすソケット本体２１と、上述した口金付ランプ１０の口金１５ｄが電気的に接続される接続部材２２を有し、接続部材２２が一端部側の開口部２１ａに面してソケット本体２１に設置されるソケット部材２３で構成する。
【００３０】
ソケット本体２１は、耐熱性・耐候性を有し、電気絶縁性の良好な合成樹脂、本実施形態では、白色のＰＢＴ樹脂で構成され、一端部側に開口部２１ａを形成した有底の横断面が略円形の筒状をなすように形成する。また、ソケット本体２１底面の最外周部となる外縁部の角部が溝状になるように一体に樹脂成形によって設置用パッキング受部２１ｂを形成する。この溝状をなす設置用パッキング受部２１ｂは、ソケット本体２１の外周面を１周する溝となるように一体に形成され、その溝の内表面が平坦な面となるように形成される。そして、この設置用パッキング受部２１ｂには、設置部パッキング３２が嵌め込まれる。設置部パッキング３２は、本実施形態ではシリコーンゴムや天然ゴム等からなるＯリングで構成され、Ｏリング３２が溝からなる設置用パッキング受部２１ｂに嵌め込まれる。なお、ソケット本体２１の外径寸法は、上述したランプ本体１１外径寸法と略同一に形成される。
【００３１】
ソケット部材２３は、上述した口金付ランプ１０の口金１５ｄが電気的に接続される接続部材２２を有し、接続部材２２が一端部側の開口部２１ａに面してソケット本体２１に設置される。ソケット部材２３は、電気絶縁性の良好な合成樹脂、本実施形態では、白色のポリカーボネート樹脂で構成された横断面が略円形で、中央部に貫通した支持孔２３ａを有したリング状に形成される。支持孔２３ａの直径寸法ｄ１（図４）は、ランプ本体１１の支持段部１５ｂの突出部、すなわち、凹嵌部１５ｃの外周面の直径寸法ｄ２（図３）より多少大きく形成し（ｄ１＞ｄ２）、凹嵌部１５ｃが支持孔２３ａ内に嵌め込むことができるように構成する。また、支持孔２３ａの深さは、ランプ本体１１の突出する凹嵌部１５ｃの高さと略同一になるように形成する。
【００３２】
接続部材２２は、口金付ランプ１０のＧＸ５３形式の一対の口金１５ｄが接触して、口金付ランプ１０に商用電源を供給するための部材で、図４（ｂ）に示すように、一定の剛性とバネ性を有し、かつ導電性の良好な金属、例えば、銅、黄銅、リン青銅等からなる「く」の字に折り曲げられたバネ性を有する端子板２２ａで構成する。
【００３３】
この端子板２２ａは、ソケット部材２３の表面側に形成された一対の係合孔２３ｂ内に収納されて支持される。係合孔２３ｂは、円弧状をなす長孔からなる係止孔２３ｂ１と、この係止孔の一端に連続して形成された円形の孔からなる挿入孔２３ｂ２とで構成された通称「ダルマ孔」からなる。この挿入孔２３ｂ２の直径寸法は、口金付ランプ１０における口金１５ｄの円板状のプラグ部１５ｄ１の直径寸法より大きく形成し、係止孔２３ｂ１の長孔の幅寸法は、プラグ部１５ｄ１の直径寸法より小さく形成する。
【００３４】
これにより、口金１５ｄのプラグ部１５ｄ１が挿入孔２３ｂ２から挿入され、係止孔２３ｂ１に移動させることによって、プラグ部１５ｄ１が係合孔２３ｂ内に収納された端子板２２ａに接触して電気的な接続がなされる。同時に、鍔状に突出するプラグ部１５ｄ１が長孔からなる係止孔２３ｂ１の裏面側に係止してプラグ部１５ｄ１の係合孔２３ｂからの抜け止めがなされて機械的に保持される。図４（ａ）中、２３ｅは、口金付ランプ１０とソケット装置２０を係合させるための係合手段を構成する係合突起で、口金付ランプ１０の口金部材１５に形成した鉤状の係合溝１５ｅに挿入され回動されて係合する。
【００３５】
上記に構成されたソケット部材２３は、接続部材２２が一端部側の開口部２１ａに面するようにしてソケット本体２１に収容され設置されてソケット装置２０が構成される。なお、ソケット部材２３は、ソケット本体２１の内底面に一体に形成されたボス部にネジによって固定される。
【００３６】
上記に構成されたソケット装置２０は、上述した口金付ランプ１０の凹嵌部１５ｃがソケット部材２３の支持孔２３ａに挿入され、若干回動されることによって照明器具３０が構成される。すなわち、上記に構成されたソケット装置２０は、ダルマ孔からなる係合孔２３ｂが、リング状をなすソケット部材２３の中心点ａに対して点対称となるように配置されている。
【００３７】
これにより、図４（ａ）、図５（ｂ）に示すように、口金付ランプ１０における口金１５ｄのプラグ部１５ｄ１を、挿入孔２３ｂ２から挿入し係止孔２３ｂ１に移動、すなわち、ランプ本体１１をソケット部材２３の中心点ａを中心にして角度α１だけ、図４（ａ）中、右方向に回動させる。これによって、口金１５ｄのプラグ部１５ｄ１が端子板２２ａに接触し、さらに端子板の「く」の字の突起部分を乗り越えて接触し電気接続がなされる。
【００３８】
同時にプラグ部１５ｄ１が長孔からなる係止孔２３ｂ１の裏面側に係止して機械的に保持される。さらに、ランプとソケットとの係合手段であるソケット側の係合突起２３ｅが、ランプ側の鉤状の係合溝１５ｅに挿入され回動されて係合し、口金付ランプ１０がソケット装置から容易に外れないように固定する。
【００３９】
この際、図５（ａ）に示すように、口金付ランプ１０は、口金部材１５の支持段部１５ｂの外縁部の角部に形成されたパッキング受部１８に対し、器具部パッキング３１を保持させた状態で回動させ、ソケット装置２０に設置される。すなわち、器具部パッキング３１は、本実施形態ではシリコーンゴムや天然ゴム等からなるＯリングで構成され、Ｏリング３１が、口金部材１５に形成された溝からなるパッキング受部１８に予め嵌め込まれ、Ｏリング３１が嵌め込まれたた状態で、Ｏリング３１の弾性力に抗し押圧しながら口金１５ｄをソケット部材２３の挿入孔２３ｂ２に挿入し、係止孔２３ｂ１に向かって回動させる。
【００４０】
これにより、Ｏリング３１が、口金部材１５のパッキング受部１８と、ソケット本体２１の開口部２１ａにおける開口端面部２１ａ１との間で圧縮され、口金付ランプ１０とソケット装置２０の接続部分、すなわち、口金１５ｄと接続部材２２との電気接続部分が気密状態にされ、防水性を確保することができる。なお、口金付ランプ１０をソケット装置２０から外す場合には、ランプ本体１１を上記とは逆に回動させればよい。この際、Ｏロング３１は、口金部材１５の支持段部１５ｂの最外周部に形成されたパッキング受部１８と、ソケット本体２１の最外周部の開口端面部２１ａ１との間で圧縮されるようにしたので、パッキングを圧縮するために直径寸法を大きくするなどの格別な部材を形成することなく構成することができる。これにより、器具全体の直径寸法を極力小となすこことができ、器具の小型化を達成することが可能になる。
【００４１】
上記により、口金付ランプ１０がソケット装置２０に防水性を有した状態で機械的に保持されて装着され、口金付ランプ１０とソケット装置２０によって小型の照明器具３０が構成される。そして、上記に構成された照明器具３０は、ソケット装置２０が予め浴室等の壁面などに設置され、ソケット装置２０の端子板２２ａが電源線ｗ１に接続されることによって、端子板２２ａから口金１５ｄを介して電源が導入され、口金付ランプ１０の点灯装置１７に供給され、さらに、点灯装置１７から発光部１２に供給されて白色の光による浴室用の壁面照明が行われる。
【００４２】
設置に際しては、図４（ｃ）、図５（ｂ）に示すように、ソケット本体２１の有底の底面部に形成された設置孔２１ｃに木ネジ等を通して壁面にねじ込んで固定する。この際、設置部パッキング３２がソケット本体２１の底面と壁面との間に介在し、設置孔２１ｃからの水や塵埃等の浸入を防ぐことができる。
【００４３】
以上、本実施形態における口金付ランプ１０、ソケット装置２０およびこれら口金付ランプ１０、ソケット装置２０を用いた照明器具３０によれば、発光部１２がカバー部パッキング１４によって、点灯装置１７等の電装品が口金部パッキング１６によって、口金１５ｄとソケット装置２０の電気接続部が器具部パッキング３１によって、さらに、設置面における防水は設置部パッキング３２によって、それぞれが気密状態にされた防水性に優れた口金付ランプ１０、ソケット装置２０および照明器具３０を提供することが可能となった。
【００４４】
以上、本実施形態において、口金１５ｄとソケット装置２０の電気接続部を気密にするための器具部パッキング３１を、口金部材１５に設けたパッキング受部１８に嵌めこむように構成したが、ランプ本体１１に設けたパッキング受部に設けるように構成してもよい。すなわち、図６に示すように、口金付ランプ１０におけるランプ本体１１の外周面を平坦にしてパッキング受部１８´を形成する。また、ソケット装置２０におけるソケット本体２１の下部外周面にネジ部２５を形成する。さらに、このネジ部２５に螺合するネジ部２６を内周面に形成したパッキング保持部材２７を形成する。
【００４５】
パッキング保持部材２７は、ソケット本体２１と同様に白色のＰＢＴ樹脂によってリング状のキャップ体をなすように形成し、内周面の上部にパッキング収納部２８を一体に形成し、パッキング収納部２８に断面が板状をなすリング状の器具部パッキング３１´を収納する。図６中、２９は、パッキング保持部材２７の下端部に形成された段部からなるネジ部用パッキング受部で、ネジ部パッキング３３が嵌め込まれる。また、図６中、３４は器具部パッキング３１´を押圧するパッキング押えで、断面が略Ｌ字状をなすリング状に形成され、パッキング保持部材２７の内周に沿って図６の上下方向に摺動可能に配設されている。なお、器具部パッキング３１´は、シリコーンゴムや天然ゴム等で断面が板状をなすリング状のパッキングとして構成され、ネジ部パッキング３３は、シリコーンゴムや天然ゴム等からなるＯリングで構成される。また、パッキング押え３４は、剛性を有するＰＢＴ等の合成樹脂や硬質ゴム等で一体にリング状に形成される。
【００４６】
そして、パッキング保持部材２７のパッキング収納部２８に器具部パッキング３１´およびパッキング押え３４を収納し、ネジ部用パッキング受部２９にネジ部パッキング３３を嵌め込んだ状態で、リング状をなすパッキング保持部材２７を、口金付ランプ１０のカバー部材１３からランプ本体１１に被せるようにして挿通させ、ネジ部２６をソケット本体２１のネジ部２５にねじ込む。
【００４７】
このねじ込みにより、図６（ｂ）に拡大して示すように、パッキング押え３４のＬ字の下面が、ソケット本体２１の開口部２１ａにおける開口端面部２１ａ１の上面に当接し、このパッキング押え３４のＬ字の上面に対して、断面が板状をなす器具部パッキング３１´の下端部が当接する。そして、さらなるねじ込みにより、板状の器具部パッキング３１´が、ランプ本体１１のパッキング受部１８´とパッキング保持部材２７のパッキング収納部２８との間で上下方向から圧縮されて波形に変形し、ランプ本体１１のパッキング受部１８´とパッキング保持部材２７との間を、換言すれば、ソケット装置２０と口金付ランプの接続部分を気密状態にする。
【００４８】
これにより、口金１５ｄとソケット装置２０の電気接続部が器具部パッキング３１´によって気密状態にされ防水性が確保される。同時に、口金部材１５とランプ本体１１との間も気密状態になり、点灯装置１７等の電装品が器具部パッキング３１´によって気密状態にされ防水性が確保される。これによって、上述した口金部パッキング１６を省略することが可能になり、コスト的に有利な口金付ランプ１０を構成することも可能になる。
【００４９】
さらに、パッキング保持部材２７を、ソケット本体２１にねじ込むことによって、ネジ部パッキングであるＯリング３３が圧縮され、ネジ部２５、２６下方からの水や塵埃等の浸入を防止することができる。また、上記のように器具部パッキング３１´が波形に変形し、その反発力（摩擦力）でランプ本体１１、すなわち、口金付ランプ１０全体のソケット装置２０に対する上下および回動方向の動きが阻止されている。これにより、口金付ランプ１０が不用意にソケット装置２０から外れることがないように構成され、安全な照明器具を提供することが可能になる。なお、パッキング保持部材２７のソケット本体２１に対する固着手段はねじ込みに限定されず、例えば、別個のネジや接着剤等を用いることもできる。
【００５０】
また、本実施形態において、口金付ランプ１０は、フラットな薄形構造のランプを構成することが好ましいが、ランプの形状としては、一般白熱電球の形状に近似させた電球形の口金付ランプ（Ａ形またはＰＳ形）、ボール形の口金付ランプ（Ｇ形）、円筒形の口金付ランプ（Ｔ形）、レフ形の口金付ランプ（Ｒ形）等のランプ形状に構成してもよい。また本実施形態は、フラットな薄形構造のランプや一般白熱電球のランプ形状に近似させた口金付ランプに限らず、その他各種の外観形状、用途をなす口金付ランプに適用することができる。
【００５１】
また、ランプ本体１１は、発光部１２や点灯装置１７の放熱性を高めるために熱伝導性の良好な金属、例えば、アルミニウム（Ａｌ）、銅（Ｃｕ）、鉄（Ｆｅ）、ニッケル（Ｎｉ）の少なくとも一種を含む金属で形成することが好ましいが、この他に、窒化アルミニウム（ＡｌＮ）等からなるセラミックス、シリコンカーバイト（ＳｉＣ）などの工業材料で構成してもよい。さらには、高熱伝導樹脂等の合成樹脂で構成してもよい。外観形状は、フラットな薄形構造の口金付ランプを構成するために、平面が略円形で皿形をなすように構成することが好ましいが、平面が三角形、四角形、六角形などの多角形状、さらには楕円形状等をなすものであってもよい。
【００５２】
また、ランプ本体１１の外周面には放熱性をより高めるために、放射状に多数の放熱フィンや放熱ピン等の放熱部材を一体に形成してもよい。さらに、ランプ本体１１の外方に露出する外面部分を、例えば、凹凸若しくは梨地状に形成して表面積を大きくしたり、白色塗装や白色アルマイト処理を施して外面部分の熱放射率を高めるようにしてもよい。また、白色塗装や白色アルマイト処理を施した場合には、口金付ランプを照明器具に装着して点灯した場合、外面に露出するランプ本体外面の反射率が高くなり、器具効率を高めることが可能となり、また外観、意匠的にも良好となり商品性を高めることもできる。また、ランプ本体１１は、アルミダイキャスト製とすることが好適であるが、アルミニウム等の金属板を絞り成形等することにより本体を形成するようにしてもよい。また、ランプ本体１１の外径寸法は、ソケット本体２１の外径寸法と略同一とすることが照明器具における外観上からも好ましいが、それぞれが異なる外径を有して構成されていてもよい。
【００５３】
発光部１２は、発光ダイオード、半導体レーザ、有機ＥＬなどを発光源とした固体発光素子で構成されることが好適であるが、発光管を蛇行させて平面形に形成した蛍光ランプ等の放電灯で構成されたものであってもよい。発光部１２は、白色で発光するように構成することが好ましいが、照明器具の用途に応じ、赤色、青色、緑色等でも、さらには各種の色を組み合わせて構成してもよい。また、発光部の形状は、面モジュールを構成するために円形や、三角形、四角形、六角形などの多角形状、さらには楕円形状等をなすものであってもよく、目的とする配光特性を得るための全ての形状が許容される。
【００５４】
点灯装置１７は、調光や調色を行うように構成してもよく、例えば、図７に示すように一対の調光用口金４０を有する比較的大型の口金付ランプ１０´を構成し、調光用伝送線を有するソケット装置２０と組み合わせて調光機能付の照明器具を構成してもよい。また、調色を行う場合、ＬＥＤとして、例えば、電球色のＬＥＤと昼光色のＬＥＤを組み込み、これらを切り替えることにより行うようにしてもよい。また、点灯装置１７は、上述したように、電球内に内蔵させて構成することが好適であるが、コンパクト形蛍光ランプのように点灯装置はランプを装着する器具側に別置きにして設け、電球側には内蔵させないように構成してもよい。
【００５５】
ソケット装置は、ソケット装置自体で口金付ランプとともに照明器具を構成したが、器具組み込み形のソケット装置を構成し、例えば、ダウンライトのように、器具組み込み形のソケット装置を器具本体や反射板に対して取り付け、この器具に組み込まれたソケット装置に口金付ランプを装着して照明器具を構成するようにしてもよい。
【００５６】
ソケット本体は、合成樹脂で構成したが、発光部や点灯装置の放熱性をより高めるために熱伝導性の良好な金属、例えば、アルミニウム（Ａｌ）、銅（Ｃｕ）、鉄（Ｆｅ）、ニッケル（Ｎｉ）の少なくとも一種を含む金属や、窒化アルミニウム（ＡｌＮ）等からなるセラミックス、シリコンカーバイト（ＳｉＣ）などの工業材料で構成してもよい。外観形状は、フラットな薄形構造の口金付ランプを装着するために、平面が略円形で皿形をなすように構成することが好ましいが、平面が三角形、四角形、六角形などの多角形状、さらには楕円形状等をなすものであってもよい。
【００５７】
また、照明器具は、天井埋込形、直付形、吊下形、さらには壁面取付形等が許容され、器具本体に制光体としてグローブ、セード、反射体などが取付けられるものであっても光源となる口金付ランプが露出するものであってもよい。また、器具本体に１個の口金付ランプを取付けたものに限らず、複数個が配設されるものであってもよい。さらに、オフィス等、施設・業務用の大型の照明器具などを構成してもよい。
【００５８】
なお、本実施形態の変形例を示す図６、図７において、図１〜図５と同一部分に同一の符合を付し、詳細な説明は省略した。以上、本発明の好適な実施形態を説明したが、本発明は上述の実施形態に限定されることなく、本発明の要旨を逸脱しない範囲内において、種々の設計変更を行うことができる。
【符号の説明】
【００５９】
１０  口金付ランプ
１１  ランプ本体
１１ａ  開口部
１２  発光部
１３  カバー部材
１４  カバー部パッキング
１５  口金部材
１５ｄ  口金
１６  口金部パッキング
１８  パッキング受部
２０  ソケット装置
２１  ソケット本体
２１ａ  開口部
２２  接続部材
２３  ソケット部材
３０  照明器具
３１  器具部パッキング
【図１】
2012142215.tif 000003
【図２】
2012142215.tif 000004
【図３】
2012142215.tif 000005
【図４】
2012142215.tif 000006
【図５】
2012142215.tif 000007
【図６】
2012142215.tif 000008
【図７】
2012142215.tif 000009